(57)【要約】【課題】被塗布面に均一な塗布物質層を形成することができる塗布具を提供すること。【解決手段】塗布部４ｂの横断面形状が湾曲した形状をし、湾曲した塗布部４ｂの凹面１０側の被塗布面Ｆ上に塗布物質Ｍを置いて、塗布部４ｂを被塗布面Ｆに押し付けながら移動させることにより、被塗布面Ｆに塗布物質Ｍを塗布するようにした塗布具４であって、塗布部４ｂを被塗布面Ｆに押し付けることによって、塗布部４ｂの凹面１０の少なくとも中央部１０ａが、被塗布面Ｆに塗布物質層を介して面接触するように、塗布部４ｂを柔軟性のある樹脂で形成する。【選択図】図１
2019069403.tif 000002
【特許請求の範囲】
【請求項１】
塗布部の横断面形状が湾曲した形状をし、湾曲した塗布部の凹面側の被塗布面上に塗布物質を置いて、塗布部を被塗布面に押し付けながら移動させることにより、被塗布面に塗布物質を塗布するようにした塗布具であって、前記塗布部を被塗布面に押し付けることによって、塗布部の凹面の少なくとも中央部が、被塗布面に塗布物質層を介して面接触するように、該塗布部を柔軟性のある樹脂で形成したことを特徴とする塗布具。
【請求項２】
前記塗布部を被塗布面に押し付けることによって、塗布部の凹面の中央部を挟んだ両側部の端縁が、被塗布面に線接触するようにしたことを特徴とする請求項１に記載の塗布具。
【請求項３】
前記塗布部の先端側が、塗布部の軸線に対して斜めに交わるように開口され、基部側が、筒状に形成されてなることを特徴とする請求項１又は２に記載の塗布具。
【請求項４】
前記請求項１、２又は３に記載の塗布具を、塗布物質を収容する容器本体の口部に配設してなることを特徴とする塗布具付塗布物質収容容器。
【発明の詳細な説明】
【技術分野】
【０００１】
本発明は、例えば、クリーム、リップグロス、マスカラ、アイライナー等の化粧料やニス等の塗料等の液状、クリーム状、パウダー状の塗布物質（以下、本明細書において、単に「塗布物質」と称する。）を被塗布面に塗り広げる塗布具及び塗布具付塗布物質収容容器に関するものである。
【背景技術】
【０００２】
従来、扁平な塗布部を有する塗布具を備えた塗布具付塗布物質収容容器が提案されている（特許文献１参照）。
【先行技術文献】
【特許文献】
【０００３】
【特許文献１】特開２００５−１８７０２５号公報
【０００４】
上記の特許文献１に係る容器は、容器本体の口部内と連通する横長な吐出孔を有する栓本体と、栓本体外面にスライド可能に嵌着して栓本体上方への突出が可能に構成した横長の延液板とを備えて構成されている。
この容器によれば、延液板を押上げてその先端部を栓本体から突出させた後、栓本体の吐出孔を被塗布面に向けた状態で容器本体を押圧しながら手前に引くことにより、吐出孔から吐出される液（塗布物質）が横長の延液板によって延ばされて被塗布面に塗布されるので、一度の塗布作業で塗布物質を広範囲に塗布することができる。
【０００５】
しかしながら、この従来の塗布具付塗布物質収容容器では、被塗布面に対し延液板が線接触しているため、延液板の被塗布面への押し付け力が大きいと、塗布物質層を形成することができず、押し付け力が小さいと、塗布物質層の厚みが不均一となって、いずれも均一な塗布物質層を形成することができず、また、延液板が変形しないため、曲面への塗布が難しいという問題点がある。
【発明の概要】
【発明が解決しようとする課題】
【０００６】
本発明は、上記従来の塗布具の有する問題点に鑑み、被塗布面に均一な塗布物質層を形成することができる塗布具及び塗布具付塗布物質収容容器を提供することを目的とする。
【課題を解決するための手段】
【０００７】
上記目的を達成するため、本発明の塗布具は、塗布部の横断面形状が湾曲した形状をし、湾曲した塗布部の凹面側の被塗布面上に塗布物質を置いて、塗布部を被塗布面に押し付けながら移動させることにより、被塗布面に塗布物質を塗布するようにした塗布具であって、前記塗布部を被塗布面に押し付けることによって、塗布部の凹面の少なくとも中央部が、被塗布面に塗布物質層を介して面接触するように、該塗布部を柔軟性のある樹脂で形成したことを特徴とする。
【０００８】
この場合において、前記塗布部を被塗布面に押し付けることによって、塗布部の凹面の中央部を挟んだ両側部の端縁が、被塗布面に線接触するようにすることができる。
【０００９】
また、前記塗布部の先端側が、塗布部の軸線に対して斜めに交わるように開口され、基部側が、筒状に形成されてなるものとすることができる。
【００１０】
また、上記目的を達成するため、本発明の塗布具付塗布物質収容容器は、前記塗布具を、塗布物質を収容する容器本体の口部に配設してなることを特徴とする。
【発明の効果】
【００１１】
本発明の塗布具及び塗布具付塗布物質収容容器によれば、塗布部を被塗布面に押し付けることによって、塗布部の凹面の少なくとも中央部が、被塗布面に塗布物質層を介して面接触するように、該塗布部を柔軟性のある樹脂で形成したので、塗布部の被塗布面への押し付け力に応じて被塗布面に均一な塗布物質層を形成することができる。
【００１２】
また、前記塗布部を被塗布面に押し付けることによって、塗布部の凹面の中央部を挟んだ両側部の端縁が、被塗布面に線接触するようにすることにより、湾曲した塗布部の囲い込み効果及び線接触による掻き取り効果によって脇漏れの発生を防ぐことができる。
ここで、脇漏れとは、塗布部を被塗布面に押し付けながら移動させて被塗布面に塗布物質を塗布する際に、塗布部で囲い込みきれなかったり、塗布部で掻き取りきれなかったりして、塗布部の両側に塗布物質が取り残されてしまう、まるで塗布部の両側（両脇）から塗布物質が漏れ出るように見える現象のことである。
【００１３】
また、前記塗布部の先端側が、塗布部の軸線に対して斜めに交わるように開口され、基部側が、筒状に形成されてなるものとすることにより、湾曲した塗布部の囲い込み効果及び線接触による掻き取り効果をより高めることができる。
【図面の簡単な説明】
【００１４】
【図１】本発明の一実施形態に係る塗布具が装着された塗布具付塗布物質収容容器を示し、（ａ）は正面図、（ｂ）は平面図、（ｃ）は右側面図である。
【図２】図１（ｃ）のＸ部拡大図である。
【図３】同塗布具の機能説明図（１）で、（ａ）塗布前状態図、（ｂ）通常の押圧力で塗布作業を行った直後の状態図、（ｃ）通常より強い押圧力で塗布作業を行った直後の状態図である。
【図４】同塗布具の機能説明図（２）で、（ａ）は塗布具の正面側から見た、被塗布面に対する接地幅の領域を示す図、（ｂ）は塗布具の背面側から見た、被塗布面に対する接地幅の領域を示す図である。
【図５】同塗布具の機能説明図（３）で、（ａ）は凸湾曲面の湾曲方向に対し直角方向に塗布する状態図、（ｂ）は凸湾曲面の湾曲方向に沿って塗布する状態図、（ｃ）は凹湾曲面の湾曲方向に対し直角方向に塗布する状態図、（ｄ）は凹湾曲面の湾曲方向に沿って塗布する状態図である。
【図６】同塗布具における塗布部の形状を模式的に示し、（ａ）〜（ｃ）は横断面図、（ｄ）は切り口形状説明図である。
【図７】本実施形態の変形例に係る塗布具付塗布物質収容容器の要部を示し、（ａ）は変形例（１）の正面図、（ｂ）は変形例（１）の右側面図、（ｃ）は変形例（２）の正面図、（ｄ）は変形例（２）の右側面図、（ｅ）は変形例（３）の正面図、（ｆ）は変形例（３）の右側面図である。
【発明を実施するための形態】
【００１５】
次に、本発明の塗布具及び塗布具付塗布物質収容容器の実施の形態を、図面に基づいて説明する。
【００１６】
図１〜図２に、本発明の一実施形態に係る塗布具及び塗布具付塗布物質収容容器を示す。
【００１７】
図１（ａ）〜（ｃ）に示されるように、この塗布具付塗布物質収容容器１は、被塗布面に塗布するための塗布物質を収容する容器本体２と、容器本体２の口部に液密に螺着されるノズル付蓋体３と、ノズル付蓋体３のノズル部３ａに装着される塗布具４とを備えて構成されている。
【００１８】
この塗布具付塗布物質収容容器１においては、塗布具４の先端側を被塗布面に向けるように容器本体２を傾け、容器本体２の外周面を押圧することにより、容器本体２の内部に収容されている塗布物質を、ノズル付蓋体３のノズル部３ａに設けられた単数又は複数（本実施形態では複数）の吐出口５から塗布具４を介して被塗布面へと吐出することができるようになっている。
【００１９】
＜容器本体の説明＞
容器本体２は、比較的柔軟で弾性変形する、例えば、高密度ポリエチレン（ＨＤＰＥ）やポリプロピレン（ＰＰ）等の樹脂素材からなり、横断面が円筒状又は楕円筒状で、容器本体２の外周面を押圧して弾性変形させたときに、内部に収容されている塗布物質をその弾性変形量に応じて口部から吐出することができるようになっている。
【００２０】
ここで、図示による詳細な説明は省略するが、容器本体２における吐出口部分には、吐出流れの上流側と下流側とを仕切るように設けられる隔膜部材に、例えば、シリコン製の十文字状の切込を形成してなる開閉弁（図示省略）が組み込まれている。
これにより、容器本体２の外周面を押圧したときに容器本体２の吐出口から出ようとする塗布物質によって隔膜部材が押されて開閉弁が開き、容器本体２の外周面への押圧力を弱めると隔膜部材が自身の弾性復元力で元の形に戻っていって開閉弁が閉じることになる。
こうして、容器本体２の外周面を押圧したときのみその押圧力に応じて塗布物質を吐出することができ、塗布物質を被塗布面上に塗り広げる作業を行う際に、塗布物質の被塗布面への吐出量を容易にコントロールすることができる。
【００２１】
＜塗布具の説明＞
図２に示されるように、塗布具４は、自身の持つ弾性収縮力によってノズル付蓋体３のノズル部３ａの外周面に固定状態に密着する取付基部４ａと、この取付基部４ａからノズル部３ａの吐出方向に延設される塗布部４ｂとを備え、塗布部４ｂの横断面形状が湾曲した形状（図１（ｂ）参照）をし、湾曲した塗布部４ｂの凹面１０側の被塗布面上に塗布物質を置いて、塗布部４ｂを被塗布面に押し付けながら移動させることにより、被塗布面に塗布物質を塗布するようにしたものである。
この塗布具４においては、塗布部４ｂを被塗布面に押し付けることによって、塗布部４ｂの凹面１０の少なくとも中央部が、被塗布面に塗布物質層を介して面接触する（このとき、塗布部４ｂの凹面１０の中央部１０ａは、変形してバックリング（反転）可能にされている。以下、同様。）ように、該塗布部４ｂを柔軟性のある樹脂で形成している。
【００２２】
塗布具４の構成材としては、例えば、シリコンゴムやゴム弾性を有するエラストマーなどが挙げられる。エラストマーの具体例としては、ポリエチレン系樹脂、ポリプロピレン系樹脂、ポリウレタン系樹脂、ポリスチレン系樹脂などの合成樹脂及びその発泡体が挙げられる。
【００２３】
＜塗布部の説明＞
図１（ｂ）に示されるように、塗布部４ｂは、横断面形状が横方向に長い楕円筒状で、図２に示されるように、その先端側が、塗布部４ｂの軸線１１に対して斜めに交わるように開口され、塗布部４ｂの基部側は、塗布部４ｂから連なった筒状に形成することができる。
これにより、湾曲した塗布部の囲い込み効果及び線接触による掻き取り効果をより高めることができ、容器本体２への装着も容易に行うことができる。
【００２４】
図６（ｄ）に示されるように、塗布部４ｂの軸線１１が延びる方向に傾斜し、かつ塗布部４ｂの軸線１１と交差する仮想傾斜直線２０と、塗布部４ｂの外周面との２つの交点をＡ点及びＢ点と定める。
塗布部４ｂの先端部は、塗布部４ｂ並びにＡ点及びＢ点を平面上に投影したときに、Ａ点とＢ点とを結ぶ、塗布部４ｂの軸方向前方に凸の凸曲線２１に沿って切断したような切り口形状に形成されている。
なお、上記のＡ点及びＢ点において、Ａ点は塗布部４ｂの先端側の位置にある点であり、Ｂ点は塗布部４ｂの軸線１１を挟んでＡ点の反対側の位置にある点である。
また、仮想傾斜直線２０の傾斜角度θは、特に限定されるものではないが、例えば、１５°〜７５°の範囲で、好ましくは、４５°以上に設定することが好ましく、この範囲で、塗布部４ｂの径や塗布物質の物性等に応じて適宜に設定することができる。
【００２５】
上記のように、塗布部４ｂを凸曲線２１に沿って切断したような切り口形状とすることにより、図２に示されるように、仮想傾斜直線２０から塗布部４ｂの軸方向前方に向けて凸湾曲状に突出する凸湾曲形状部３０が形成される。
【００２６】
＜塗布作業の説明＞
以上に述べたように構成される塗布具付塗布物質収容容器１を用いて塗布物質を被塗布面へと塗布する作業について、図１及び図３〜図５を用いて以下に説明する。
【００２７】
まず、容器本体２（図１（ａ）〜（ｃ）参照）を手で持ち上げ、図３（ａ）に示されるように、ノズル付蓋体３のノズル部３ａを被塗布面Ｆに向けるように容器本体２を傾け、容器本体２の外周面を手指で握って適度な押圧力で押圧する。
すると、容器本体２の吐出口部分に組み込まれた図示されない開閉弁が開き、容器本体２内の塗布物質Ｍが容器本体２から吐出され、容器本体２から吐出された塗布物質Ｍは、ノズル付蓋体３のノズル部３ａに設けられた複数の吐出口５（図１（ａ）及び（ｂ）参照）から、塗布具４の塗布部４ｂ内を通って、被塗布面Ｆ上へと吐出される。
【００２８】
次いで、図３（ａ）〜（ｂ）に示されるように、湾曲した塗布部４ｂの凹面１０側の被塗布面Ｆ上に塗布物質Ｍを置いて、塗布部４ｂを被塗布面Ｆに押し付けながら移動させる。
このとき、被塗布面Ｆに対する塗布部４ｂの押付力に応じて、塗布部４ｂの凹面１０の中央部１０ａが、被塗布面Ｆに塗布物質層を介して面接触するとともに、その中央部１０ａを挟んだ両側部（凸湾曲形状部３０）の端縁が被塗布面Ｆに線接触するように変形する。
【００２９】
上記の塗布作業時に、脇漏れ現象が起きそうな場合には、被塗布面Ｆに対し塗布部４ｂを更に強い力で押し付ける。
こうすることにより、図３（ｂ）〜（ｃ）に示されるように、被塗布面Ｆに対する塗布部４ｂの接地幅（図４（ａ）及び（ｂ）参照）が更に広がり、塗布物質Ｍの脇漏れを確実に防ぐことができる。
こうして、被塗布面Ｆに対する塗布部４ｂの押付力に応じて被塗布面Ｆに対する塗布部４ｂの接地幅を変化させることができ、塗布部４ｂの凹面１０の中央部１０ａから両側方に進むに従って徐々に塗布圧が下がることで脇漏れを防ぐ効果もある。
【００３０】
図５（ａ）及び（ｂ）に示されるように、被塗布面Ｆが、例えば、円柱又は円筒状構造物の外周面のように凸湾曲面状であるときに、図５（ａ）に示されるように、凸湾曲面状の被塗布面Ｆに塗布部４ｂを押し付けながら被塗布面Ｆの湾曲方向に対し直角方向に移動させる場合や、図５（ｂ）に示されるように、被塗布面Ｆの湾曲方向に沿って移動させる場合であっても、被塗布面Ｆの形状に追随して、塗布部４ｂの凹面１０の中央部１０ａが、被塗布面Ｆに塗布物質層を介して面接触するとともに、塗布部４ｂの凹面１０の中央部１０ａを挟んだ両側の凸湾曲形状部３０の端縁が被塗布面Ｆに線接触する。
【００３１】
また、図５（ｃ）及び（ｄ）に示されるように、被塗布面Ｆが、例えば、円筒状構造物の内周面のように凹湾曲面状であるときに、図５（ｃ）に示されるように、凹湾曲面状の被塗布面Ｆに塗布部４ｂを押し付けながら被塗布面Ｆの湾曲方向に対し直角方向に移動させる場合や、図５（ｄ）に示されるように、被塗布面Ｆの湾曲方向に沿って移動させる場合であっても、被塗布面Ｆの形状に追随して、塗布部４ｂの凹面１０の中央部１０ａが、被塗布面Ｆに塗布物質層を介して面接触するとともに、その中央部１０ａを挟んだ両側の凸湾曲形状部３０の端縁が被塗布面Ｆに線接触する。
【００３２】
＜作用効果の説明＞
本実施形態の塗布具及び塗布具付塗布物質収容容器１によれば、塗布部４ｂを被塗布面Ｆに押し付けることによって、塗布部４ｂの凹面１０の少なくとも中央部１０ａが、被塗布面Ｆに塗布物質層を介して面接触するように、該塗布部４ｂを柔軟性のある樹脂で形成したので、塗布部４ｂの被塗布面Ｆへの押し付け力に応じて被塗布面Ｆに均一な塗布物質層を形成することができる。
【００３３】
また、塗布部４ｂを被塗布面Ｆに押し付けることによって、塗布部４ｂの凹面１０の中央部１０ａを挟んだ両側の凸湾曲形状部３０の端縁が、被塗布面Ｆに線接触するようにすることにより、湾曲した塗布部４ｂの囲い込み効果及び線接触による掻き取り効果によって脇漏れの発生を防ぐことができる。
【００３４】
以上、本発明の塗布具及び塗布具付塗布物質収容容器について、一実施形態に基づいて説明したが、本発明は上記実施形態に記載した構成に限定されるものではなく、その趣旨を逸脱しない範囲において適宜その構成を変更することができるものである。
【００３５】
上記の実施形態において、塗布部４ｂの断面形状は、図６（ａ）に示されるような横方向に長い楕円筒状に限られず、図６（ｂ）に示されるように、縦方向に長い楕円筒状や、図６（ｃ）に示されるように、円筒状であってもよい。
【００３６】
また、塗布部４ｂの先端部の切り口形状は、上記の実施形態で述べたものに限定されるものではない。
図６（ｄ）に示されるように、塗布部４ｂ並びにＡ点及びＢ点を平面上に投影したときに、Ａ点とＢ点との間の仮想傾斜直線２０の線分２０ａに沿って切断したような切り口形状であってもよい。
この場合、図７（ａ）及び（ｂ）に示されるように、塗布部４ｂの凹面１０の中央部１０ａを挟んだ両側部には、仮想傾斜直線２０の線分２０ａと一致するような直線形状部３１が形成される。
また、図６（ｄ）に示されるように、Ａ点とＢ点との間の適宜位置（ここではＡ点とＢ点との真中位置）にＣ点を定め、塗布部４ｂ並びにＡ点、Ｂ点及びＣ点を平面上に投影したときに、Ａ点とＣ点とを結ぶ、塗布部４ｂの軸方向前方に凸の凸曲線２２ａと、Ｃ点とＢ点とを結ぶ、塗布部４ｂの軸方向後方に凹の凹曲線２２ｂとからなるＳ字曲線２２に沿って切断したような切り口形状であってもよい。
この場合、図７（ｃ）及び（ｄ）に示されるように、塗布部４ｂの凹面１０の中央部１０ａを挟んだ両側部には、仮想傾斜直線２０から塗布部４ｂの軸方向前方に向けて凸湾曲状に突出する凸湾曲形状部３２ａと、この凸湾曲形状部３２ａに連続するように仮想傾斜直線２０から塗布部４ｂの軸方向後方に向けて凹湾曲状に凹む凹湾曲形状部３２ｂとよりなるＳ字湾曲形状部３２が形成される。
また、図６（ｄ）に示されるように、塗布部４ｂ並びにＡ点及びＢ点を平面上に投影したときに、Ａ点とＢとを結ぶ、塗布部４ｂの軸方向後方に凹の凹曲線２３に沿って切断したような切り口形状であってもよい。
この場合、図７（ｅ）及び（ｆ）に示されるように、塗布部４ｂの凹面１０の中央部１０ａを挟んだ両側部には、仮想傾斜直線２０から塗布部４ｂの軸方向後方に向けて凹湾曲状に凹む凹湾曲形状部３３が形成される。
【００３７】
塗布部４ｂの材質や、寸法（厚さ、長さ）、切り口形状、切り口の角度（傾斜角度θ：図６（ｂ）参照）等は、塗布物質の物性や、塗布面の性状等に応じて適宜に設定することができる。
【００３８】
また、塗布部４ｂを細長く形成するようにすれば、例えば、塗布物質である化粧用のエナメルを、被塗布面である爪の表面へと塗布するマニキュア液用塗布具としての用途に好適に用いることができる。
【産業上の利用可能性】
【００３９】
本発明の塗布具及び塗布具付塗布物質収容容器は、被塗布面に均一な塗布物質層を形成することができるという特性を有していることから、例えば、化粧料や塗料等の液状、クリーム状、パウダー状の塗布物質を被塗布面に塗り広げる用途に好適に用いることができ、産業上の利用可能性が大である。
【符号の説明】
【００４０】
１  塗布具付塗布物質収容容器
２  容器本体
３  ノズル付蓋体
４  塗布具
４ｂ  塗布部
１０  凹面
３０  凸湾曲形状部
３１  直線形状部
３２  Ｓ字湾曲形状部
３３  凹湾曲形状部
Ｆ  被塗布面
Ｍ  塗布物質
【図１】
2019069403.tif 000003
【図２】
2019069403.tif 000004
【図３】
2019069403.tif 000005
【図４】
2019069403.tif 000006
【図５】
2019069403.tif 000007
【図６】
2019069403.tif 000008
【図７】
2019069403.tif 000009